(57)【要約】【課題】画角が相違する複数種類の撮影を行なうことができ、しかも全体の構成が簡易であって、大型化や高コスト化を抑制することが可能なイメージセンサモジュールを提供する。【解決手段】ケース３００と、ケース３００内に配置されたイメージセンサチップ４００と、ケース３００に設けられ、かつイメージセンサチップ４００上に被写体の像を結像させる光学系と、を備えているイメージセンサモジュールＡ１であって、上記光学系としては、光路長が相違する第１および第２の光学系１００，２００があり、イメージセンサチップ４００は、第１および第２の光学系１００，２００に対応する第１および第２の位置Ｐ１，Ｐ２のそれぞれに選択的に配置できるように移動自在である。【選択図】  図３
2004260787.tif 000002
【特許請求の範囲】
【請求項１】
ケースと、
上記ケース内に配置されたイメージセンサチップと、
上記ケースに設けられ、かつ上記イメージセンサチップ上に被写体の像を結像させる光学系と、
を備えているイメージセンサモジュールであって、
上記光学系としては、光路長が相違する第１および第２の光学系があり、
上記イメージセンサチップは、上記第１および第２の光学系に対応する第１および第２の位置のそれぞれに選択的に配置できるように移動自在であることを特徴とする、イメージセンサモジュール。
【請求項２】
上記イメージセンサチップを搭載した基板と、
上記イメージセンサチップが上記第１および第２の位置間において往復動自在となるように上記基板を上記ケースに相対させて移動させる動作機構と、
を備えている、請求項１に記載のイメージセンサモジュール。
【請求項３】
上記動作機構は、上記イメージセンサチップの周囲を囲むようにして上記基板に取り付けられたカバーと、上記ケースに設けられ、かつ上記カバーをスライドガイド可能なガイドと、を備えている、請求項２に記載のイメージセンサモジュール。
【請求項４】
上記イメージセンサチップに向けて進行する光のうち、特定波長域の光のみを通過させる光学フィルタをさらに備えており、
この光学フィルタは、上記イメージセンサチップに伴って移動するように設けられている、請求項１ないし３のいずれかに記載のイメージセンサモジュール。
【請求項５】
ケースと、
上記ケース内に配されたイメージセンサチップと、
上記ケースに設けられ、かつ上記イメージセンサチップ上に被写体の像を結像させる光学系と、
を備えている、イメージセンサモジュールであって、
上記光学系としては、光路長が相違する第１および第２の光学系があり、
上記イメージセンサチップとしては、上記第１および第２の光学系にそれぞれ対応した第１および第２の位置に配された第１および第２のイメージセンサチップがあることを特徴とする、イメージセンサモジュール。
【請求項６】
上記第１および第２の光学系のそれぞれは、結像用レンズを備えており、
上記第２の光学系の結像用レンズから上記第２の位置までの光路長は、上記第１の光学系の結像用レンズから上記第１の位置までの光路長よりも長くされている、請求項１ないし５のいずれかに記載のイメージセンサモジュール。
【請求項７】
上記第１の光学系は、標準撮影用であり、上記第２の光学系は、上記第１の光学系よりも撮影時の画角が小さい標準撮影用または望遠撮影用である、請求項６に記載のイメージセンサモジュール。
【請求項８】
上記第１の光学系は、その結像用レンズから上記第１の位置までの光軸が直線状に延びた構成を有し、
上記第２の光学系は、その結像用レンズから上記第２の位置までの光軸が屈曲した構成とされている、請求項６または７に記載のイメージセンサモジュール。
【請求項９】
上記第２の光学系は、光を偶数回反射する光反射手段を備えている、請求項６ないし８のいずれかに記載のイメージセンサモジュール。
【請求項１０】
上記光反射手段は、上記被写体の正面から上記ケースに向かう第１の方向に進行してきた光を上記第１の方向とは交差する第２の方向に進行させるように反射する第１の光反射面と、この第１の光反射面から進行してきた光を上記第２の位置に向けて進行させるように上記第１の方向に反射する第２の光反射面とを含んでいる、請求項９に記載のイメージセンサモジュール。
【請求項１１】
上記第１および第２の光学系は、上記第２の方向において互いにオーバラップしている、請求項１０に記載のイメージセンサモジュール。
【請求項１２】
上記光反射手段は、複数のミラーを含んでいる、請求項９ないし１１のいずれかに記載のイメージセンサモジュール。
【請求項１３】
上記光反射手段は、複数の面を有する透光性部材を含んでおり、
上記複数の面のうちの２つの面が、上記第１および第２の光反射面とされ、これら第１および第２の光反射面は、上記透光性部材内において光の全反射が可能である、請求項１０または１１に記載のイメージセンサモジュール。
【請求項１４】
上記第２の光学系は、上記第１の光学系よりも単レンズの使用枚数が少ない構成とされている、請求項６ないし１３のいずれかに記載のイメージセンサモジュール。
【請求項１５】
上記第１および第２の光学系のそれぞれの光入射部分には、絞りが設けられており、
上記第２の光学系の方が、上記第１の光学系よりも絞りの開度が大きくされている、請求項６ないし１４のいずれかに記載のイメージセンサモジュール。
【請求項１６】
上記第１および第２の光学系の少なくとも一方の結像用レンズは、光軸方向への位置調整が可能な構成とされている、請求項６ないし１５のいずれかに記載のイメージセンサモジュール。
【請求項１７】
上記第２の位置は、上記第２の光学系の入射光軸よりも上記第１の位置寄りに設けられている、請求項１ないし１６のいずれかに記載のイメージセンサモジュール。
【請求項１８】
上記第２の光学系の入射光軸は、上記第２の位置よりも上記第１の位置寄りに設けられている、請求項１ないし１６のいずれかに記載のイメージセンサモジュール。
【請求項１９】
上記第１および第２の光学系とは光路長が相違する第３の光学系を備えており、
上記イメージセンサチップは、上記第１および第２の位置に加え、上記第３の光学系に対応する第３の位置に対しても選択的に配置可能な構成とされている、請求項１ないし４のいずれかに記載のイメージセンサモジュール。
【請求項２０】
上記第１および第２の光学系とは光路長が相違する第３の光学系と、
上記第３の光学系に対応する位置に配置された第３のイメージセンサチップと、
をさらに備えている、請求項５に記載のイメージセンサモジュール。
【請求項２１】
ケースと、
上記ケースの底部に組み付けられた基板と、
上記基板上に搭載され、かつ上記ケースの正面方向を向く受光面を有しているイメージセンサチップと、
上記ケースに設けられ、かつ上記受光面上に被写体の像を結像させる光学系と、
を備えている、イメージセンサモジュールであって、
上記光学系は、上記ケースの正面から上記ケースに向かう第１の方向に進行してきた光を上記第１の方向とは交差する第２の方向に進行させるように反射する第１の光反射面と、この第１の光反射面によって反射された光を上記受光面に向かわせるように上記第１の方向に反射する第２の光反射面とを有していることを特徴とする、イメージセンサモジュール。
【発明の詳細な説明】
【技術分野】
【０００１】
本発明は、たとえばデジタルカメラやカメラ付き携帯電話機の構成部品として用いられるイメージセンサモジュールに関する。
【背景技術】
【０００２】
この種のイメージセンサモジュールの一例としては、特許文献１に記載されたものがある。同文献に記載されたイメージセンサモジュールは、基板上にイメージセンサチップが搭載され、かつこの基板の上面に、上記イメージセンサチップを囲み込むケースが組み付けられた構成を有している。ケースには、結像用レンズが固定して保持されている。この結像用レンズの作用により、被写体の像が上記イメージセンサチップ上に結像すると、上記イメージセンサチップからは、上記被写体の像に対応する出力レベルの画像信号を出力することとなる。
【０００３】
【特許文献１】特開２００２−２４７２８８号公報
【発明の開示】
【発明が解決しようとする課題】
【０００４】
しかしながら、上記従来のイメージセンサモジュールは、上記結像用レンズを用いた１つの光学系を有するに過ぎず、しかも上記結像用レンズの焦点距離も不変である。したがって、被写体の撮影に際しての画角（レンズからみて被写体を像として切り取ることができる範囲）は、常に一定であり、撮影の多様性に欠けるものとなっていた。
【０００５】
画角を変更するための手段としては、ズーム（可変焦点距離）機能を備えたレンズを用いることが考えられる。ところが、ズーム機能を備えたレンズは、一部の単レンズを高精度に移動させる精密な機構を備えており、そのコストは非常に高く、また複数の単レンズを光軸上に適当な間隔で並べる構造を有するために、大型化する。したがって、ズーム機能を備えたレンズは、低コストおよび小型化が要請されるイメージセンサモジュールの構成部品として用いるには適さない。
【０００６】
本発明は、上記した事情のもとで考え出されたものであって、画角が相違する複数種類の撮影を行なうことができ、しかも全体の構成が簡易であって、大型化や高コスト化を抑制することが可能なイメージセンサモジュールを提供することを課題としている。
【課題を解決するための手段】
【０００７】
上記課題を解決するため、本発明では、次の技術的手段を講じている。
【０００８】
本発明の第１の側面により提供されるイメージセンサモジュールは、ケースと、上記ケース内に配置されたイメージセンサチップと、上記ケースに設けられ、かつ上記イメージセンサチップ上に被写体の像を結像させる光学系と、を備えているイメージセンサモジュールであって、上記光学系としては、光路長が相違する第１および第２の光学系があり、上記イメージセンサチップは、上記第１および第２の光学系に対応する第１および第２の位置のそれぞれに選択的に配置できるように移動自在であることを特徴としている。
【０００９】
このような構成によれば、イメージセンサチップを上記第１の位置に配置させて撮影する場合と、上記第２の位置に配置させて撮影する場合とでは、画角を相違させることができる。このため、たとえば標準撮影モードと望遠撮影モードとの２種類の撮影モードを切り替えるなど、本発明に係るイメージセンサモジュールはいわゆるズーム撮影機能をもつこととなり、その撮影に多様性をもたせることができる。さらに、重要な効果として、本発明によれば、１つのイメージセンサチップを移動させることによって撮影モードの切り替えを行なうために、イメージセンサチップを複数用いる場合と比較すると、全体の構造を簡易にし、また製造コストの低減を図ることが可能である。また、イメージセンサチップを第１および第２の位置に切り替え移動させるものの、単なるイメージセンサチップの位置変更だけであれば、そのための構造は比較的簡易なものにすることができ、ズーム機能を備えたレンズを用いる場合と比較すると、やはり全体の大型化や製造コストの上昇を抑制可能である。
【００１０】
好ましい実施の形態においては、上記イメージセンサチップを搭載した基板と、上記イメージセンサチップが上記第１および第２の位置間において往復動自在となるように上記基板を上記ケースに相対させて移動させる動作機構と、を備えている。このような構成によれば、上記基板と上記イメージセンサチップとの相対的な位置関係を変更することなく、上記イメージセンサチップの移動が可能となり、全体構造のより一層の簡素化、ならびにイメージセンサチップの安定的な移動が実現可能である。
【００１１】
好ましい実施の形態においては、上記動作機構は、上記イメージセンサチップの周囲を囲むようにして上記基板に取り付けられたカバーと、上記ケースに設けられ、かつ上記カバーをスライドガイド可能なガイドと、を備えている。このような構成によれば、上記カバーを上記ガイドによってスライドガイドさせることにより、上記イメージセンサチップに本発明が意図する移動を適切に行なわせることができる。
【００１２】
好ましい実施の形態においては、上記イメージセンサチップに向けて進行する光のうち、特定波長域の光のみを通過させる光学フィルタをさらに備えており、この光学フィルタは、上記イメージセンサチップに伴って移動するように設けられている。このような構成によれば、たとえば撮影に不必要な波長域の光を上記光学フィルタによって除去することにより鮮明な撮影画像が得られることとなる。また、上記光学フィルタは、イメージセンサチップに伴って移動するため、この光学フィルタを複数設ける必要は無い。
【００１３】
本発明の第２の側面により提供されるイメージセンサモジュールは、ケースと、上記ケース内に配されたイメージセンサチップと、上記ケースに設けられ、かつ上記イメージセンサチップ上に被写体の像を結像させる光学系と、を備えているイメージセンサモジュールであって、上記光学系としては、光路長が相違する第１および第２の光学系があり、上記イメージセンサチップとしては、上記第１および第２の光学系にそれぞれ対応した第１および第２の位置に配された第１および第２のイメージセンサチップがあることを特徴としている。
【００１４】
このような構成によれば、第１のイメージセンサチップを用いた撮影と、第２のイメージセンサチップを用いた撮影とでは、画角を相違させることができる。このため、上記した本発明の第１の側面により提供されるイメージセンサモジュールと同様に、たとえば標準撮影モードと望遠撮影モードとの２種類の撮影モードを切り替えるといったことが可能となる。また、上記構成によれば、第１および第２のイメージセンサチップを移動させる必要はないため、その分だけ故障が発生する虞れが少なくなる。また、ズーム機能を備えたレンズを用いる場合と比較すると、第１および第２の光学系の構成は簡易にできるために、やはりズーム機能を備えたレンズを用いる場合と比較すると、全体の大型化や製造コストの上昇を抑制可能である。
【００１５】
好ましい実施の形態においては、上記第１および第２の光学系のそれぞれは、結像用レンズを備えており、上記第２の光学系の結像用レンズから上記第２の位置までの光路長は、上記第１の光学系の結像用レンズから上記第１の位置までの光路長よりも長くされている。この場合、たとえば上記第１の光学系は、標準撮影用であり、上記第２の光学系は、上記第１の光学系よりも撮影時の画角が小さい標準撮影用または望遠撮影用である構成とすることができる。
【００１６】
好ましい実施の形態においては、上記第１の光学系は、その結像用レンズから上記第１の位置までの光軸が直線状に延びた構成を有し、上記第２の光学系は、その結像用レンズから上記第２の位置までの光軸が屈曲した構成とされている。このような構成によれば、上記第１の光学系についてはその構成を簡素にする一方、上記第２の光学系については、スペース効率良く光路長を長くすることが可能である。
【００１７】
好ましい実施の形態においては、上記第２の光学系は、光を偶数回反射する光反射手段を備えている。このような構成によれば、上記第２の光学系の光軸を屈曲状とする構成が、比較的な簡単な構造により達成される。また、上記光の反射回数が偶数回であれば、被写体の像が反転して撮影される不具合もない。
【００１８】
好ましい実施の形態においては、上記光反射手段は、上記被写体の正面から上記ケースに向かう第１の方向に進行してきた光を上記第１の方向とは交差する第２の方向に進行させるように反射する第１の光反射面と、この第１の光反射面から進行してきた光を上記第２の位置に向けて進行させるように上記第１の方向に反射する第２の光反射面とを含んでいる。このような構成によれば、上記第２の方向に光を進行させることによって光路長を稼いでいるために、その分だけ第１の方向の光路長を短くし、上記ケースの第１の方向の厚みが大きくなることを抑制するのに好適となる。
【００１９】
好ましい実施の形態においては、上記第１および第２の光学系は、上記第２の方向において互いにオーバラップしている。このような構成によれば、上記第１および第２の光学系がオーバラップしている分だけ、それらが上記第２の方向において大きく嵩張らないようにし、イメージセンサモジュール全体の小型化を図ることが可能となる。
【００２０】
好ましい実施の形態においては、上記光反射手段は、複数のミラーを含んでいる。
【００２１】
好ましい実施の形態においては、上記光反射手段は、複数の面を有する透光性部材を含んでおり、上記複数の面のうちの２つの面が、上記第１および第２の光反射面とされ、これら第１および第２の光反射面は、上記透光性部材内において光の全反射が可能である。このような構成によれば、上記第１および第２の光反射面が全反射を行なうために、ミラーを用いる場合とは異なり、反射時の光のロスが無く、光量の減少を抑制して明るい撮影画像を得るのに好適となる。また、ミラーを用いる場合と比較すると、上記透光性部材の使用個数は少なくてよいために、部品点数の少数化によるコスト低減を図るのにも好適となる。
【００２２】
好ましい実施の形態においては、上記第２の光学系は、上記第１の光学系よりも単レンズの使用枚数が少ない構成とされている。上記第２の光学系は、上記第１の光学系よりも撮影に際しての画角が小さいため、その分だけ修正すべき収差の程度は少ない。上記構成は、そのような条件に対応しており、上記第２の光学系に用いられる単レンズの数が不必要に多くならないようにして、全体のコスト上昇を抑制するのに好適である。
【００２３】
好ましい実施の形態においては、上記第１および第２の光学系のそれぞれの光入射部分には、絞りが設けられており、上記第２の光学系の方が、上記第１の光学系よりも絞りの開度が大きくされている。一般に、撮影に際しての画角が小さくなるほど、光量不足となって、撮影画像が暗くなる。これに対し、上記構成によれば、上記第２の光学系を利用して画角が小さい撮影を行なう場合であっても、上記絞りからの入射光量を多くし、撮影画像が暗くなることを抑制することができる。
【００２４】
好ましい実施の形態においては、上記第１および第２の光学系の少なくとも一方の結像用レンズは、光軸方向への位置調整が可能な構成とされている。このような構成によれば、上記第１および第２の光学系の少なくとも一方のピント調整が行なえる。このため、たとえば、上記第１の光学系を標準撮影モードとしている場合に、その結像用レンズの位置調整を行なうことにより、近接撮影モードに変更するといったことが可能となり、撮影モードのさらなる多様化が達成できる。
【００２５】
好ましい実施の形態においては、上記第２の位置は、上記第２の光学系の入射光軸よりも上記第１の位置寄りに設けられている。このような構成によれば、上記第１および第２の位置どうしを接近させることができる。これは、イメージセンサチップを第１および第２の位置に切り替え移動させる場合に、その移動ストロークを短くし、動作機構の小型化や切り替え動作の高速化を図るのに好適となる。また、上記第１および第２の位置のそれぞれにイメージセンサチップを固定して設ける場合には、それら２つのイメージセンサチップを同一の基板上に搭載するといったことが可能となり、構成の簡素化を図るのにやはり好適である。
【００２６】
好ましい実施の形態においては、上記第２の光学系の入射光軸は、上記第２の位置よりも上記第１の位置寄りに設けられている。このような構成によれば、上記第１および第２の光学系のそれぞれを利用して被写体の撮影を行なう場合に、その被写体の撮影角度に大きな差が生じないようにすることができる。
【００２７】
好ましい実施の形態においては、上記第１および第２の光学系とは光路長が相違する第３の光学系をさらに備えており、上記イメージセンサチップは、上記第１および第２の位置に加え、上記第３の光学系に対応する第３の位置に対しても選択的に配置可能な構成とされている。このような構成によれば、イメージセンサチップの使用個数を増加させることなく、さらに撮影モードを増やすことができる。
【００２８】
好ましい実施の形態においては、上記第１および第２の光学系とは光路長が相違する第３の光学系と、上記第３の光学系に対応する位置に配置された第３のイメージセンサチップと、をさらに備えている。このような構成によっても、撮影モードをさらに増やすことができる。
【００２９】
本発明の第３の側面によって提供されるイメージセンサモジュールは、ケースと、上記ケースの底部に組み付けられた基板と、上記基板上に搭載され、かつ上記ケースの正面方向を向く受光面を有しているイメージセンサチップと、上記ケースに設けられ、かつ上記受光面上に被写体の像を結像させる光学系と、を備えているイメージセンサモジュールであって、上記光学系は、上記ケースの正面から上記ケースに向かう第１の方向に進行してきた光を上記第１の方向とは交差する第２の方向に進行させるように反射する第１の光反射面と、この第１の光反射面によって反射された光を上記受光面に向かわせるように上記第１の方向に反射する第２の光反射面とを有していることを特徴としている。
【００３０】
このような構成によれば、被写体からの光を第１の方向に加え、第２の方向にも進行させている分だけ、光路長を長くすることができ、画角の小さい撮影を行なうためのイメージセンサモジュールとして構成するのに好適となる。従来技術のイメージセンサモジュールに加えて、本発明の第３の側面によって提供されるイメージセンサモジュールを加えて使用することにより、複数種類の撮影モードでの撮影を行なうことが可能である。また、上記イメージセンサチップは、その受光面が上記ケースの正面を向くように上記基板上に搭載しているために、上記イメージセンサチップが上記ケース内において上記ケースの厚み方向に嵩張らないようにして、全体の薄型化または小型化を図るのにも好適となる。
【００３１】
本発明のその他の特徴および利点については、以下に行う発明の実施の形態の説明から、より明らかになるであろう。
【発明を実施するための最良の形態】
【００３２】
以下、本発明の好ましい実施の形態について、図面を参照して具体的に説明する。
【００３３】
図１〜図４は、本発明に係るイメージセンサモジュールの一実施形態を示している。図３によく表われているように、本実施形態のイメージセンサモジュールＡ１は、ケース３００と、第１および第２の光学系１００，２００と、イメージセンサチップ４００と、動作機構４２０とを備えている。
【００３４】
ケース３００は、平面視略長矩形であり、かつ上下方向に厚みをもつ合成樹脂製である。第１の光学系１００は、ケース３００の長手方向一端寄りに設けられており、結像用レンズ１２０を備えている。この結像用レンズ１２０は、たとえば３つの単レンズ１２１，１２２，１２３をキャップ１１０内に積層状に組み込むことにより構成された組み合わせレンズである。単レンズ１２１，１２２は、凸レンズであるのに対し、単レンズ１２３は、凹レンズである。このような構成によれば、収差を少なくすることができ、とくに色消しも可能となる。キャップ１１０は、円筒部１１１と、この円筒部１１１の上部を塞ぐ上壁部１１２とを有している。上壁部１１２には、開口部１１３が形成されている。ケース３００の外部から結像用レンズ１２０への光の入射は開口部１１３のみを介して行なわれる。したがって、上壁部１１２は、外部から結像用レンズ１２０への光の入射量を制限する絞りに相当する。円筒部１１１は、ケース３００の天壁部に設けられたネジ穴３１０にねじ込まれており、これによりキャップ１１０はケース３００に取り付けられている。ただし、キャップ１１０の上部には、フランジ部１１４がさらに設けられており、このフランジ部１１４を利用してキャップ１１０を回転させることができるようになっている。キャップ１１０を回転させると、このキャップ１１０は光軸Ｘ１が延びる方向に移動するようになっている。
【００３５】
第１の光学系１００は、光軸Ｘ１がケース３００の厚み方向に延びる一直線状となるように構成されている。この第１の光学系１００を利用してイメージセンサチップ４００上に被写体の像が結像される場合、イメージセンサチップ４００は、光軸Ｘ１上のうち、結像用レンズ１２０の直下の第１の位置Ｐ１に配置される。第１の光学系１００は、標準撮影モード用であり、結像用レンズ１２０は、その撮影モードに適した焦点距離である。
【００３６】
第２の光学系２００は、ケース３００の長手方向略中央部から他端寄りにわたって設けられている。この第２の光学系２００は、第１および第２のミラー２１０，２２０と、結像用レンズ２４０と、遮光部材３３０とを備えている。
【００３７】
第１のミラー２１０は、ケース３００の天壁部の長手方向他端部に形成された開口部３２０を通過してケース３００内を下向きに進行してきた光をケース３００の長手方向中央部方向に反射するものであり、ケース３００の厚み方向に対して４５°傾くようにしてケース３００に組み付けられている。第２のミラー２２０は、第１のミラー２１０によって反射されてきた光を下向きに反射するものであり、第１のミラー２１０と同様に、４５°傾くようにしてケース３００に組み付けられている。第１および第２のミラー２１０，２２０の表面が、本発明でいう第１および第２の光反射面の一例に相当する。第２の光学系２００においては、第１および第２のミラー２１０、２２０によって光が反射されるため、その光軸Ｘ２は、屈曲状である。また、第２の光学系２００の方が、第１の光学系１００よりもケース３００内における光路長が長くなっている。ただし、第２の光軸Ｘ２のうち、入射光軸Ｘ２’は、第１の光軸Ｘ１と同じ方向に延びている。第２の光学系２００を利用してイメージセンサチップ４００上に被写体の像が結像される場合、イメージセンサチップ４００は、光軸Ｘ２のうち、第２のミラー２２０の直下の第２の位置Ｐ２に配置される。第２のミラー２２０は、第１の光学系１００にできるだけ近接するように設けられている。
【００３８】
結像用レンズ２４０は、レンズホルダ２３０内にたとえば２つの単レンズ２４１，２４２を収容保持させることにより構成された組み合わせレンズである。単レンズ２４１は、凸レンズであるのに対し、単レンズ２４２は、凹レンズである。したがって、この結像用レンズ２４０においても、結像用レンズ１２０と同様に、色消しが可能である。この結像用レンズ２４０は、第１および第２のミラー２１０，２２０間のうち、第１のミラー２１０寄りに設けられている。したがって、この結像用レンズ２４０を透過した光が第２のミラー２２０に向けて進行することとなる。レンズホルダ２３０は、単レンズ２４１，２４２を保持する円筒部２３１と、この円筒部２３１の一端に連設された側壁部２３２とを有し、この側壁部２３２には、光入射用の開口部２３３が形成されている。したがって、この側壁部２３２は、結像用レンズ２４０に入射する光の量を制限する絞りに相当する。開口部２３３の直径は、キャップ１１０の開口部１１３の直径よりも大きくされている。第２の光学系２００は、たとえば第１の光学系１００を利用した標準撮影と比較して３倍の倍率をもつ望遠撮影を行なうためのものであり、結像用レンズ２４０は、そのような撮影モードに適するように、結像用レンズ１２０よりも長い焦点距離である。望遠撮影の場合には、標準撮影の場合よりも画角が小さく、望遠撮影用のレンズの方が修正すべき収差が少なくなるのが一般的である。このため、本実施形態においても、結像用レンズ２４０の方が、結像用レンズ１２０よりも単レンズの総数が少なくされている。
【００３９】
遮光部材３３０は、筒状であり、結像用レンズ２４０と第２のミラー２２０との間に設けられている。この遮光部材３３０は、第２のミラー２２０に接近するほど拡径するテーパ穴を有しており、このテーパ穴内を光が通過するようになっている。好ましくは、上記テーパ穴の内周面には、断面ノコギリ状の凹凸が形成されている。この遮光部材３３０の少なくとも内面は、黒色などの暗色系である。これは、塗装により、あるいは遮光部材３３０を黒色樹脂により形成することにより達成されている。
【００４０】
イメージセンサチップ４００としては、たとえばエリアＣＣＤチップ、あるいはＣ−ＭＯＳエリアイメージセンサチップが用いられている。このイメージセンサチップ４００の上面には、複数のドット状の受光部がマトリクス状に並んだ受光面が設けられており、各受光部で光を受けると、それに対応した出力レベルの画像信号が一定の順序で出力されるように構成されている。
【００４１】
動作機構４２０は、イメージセンサチップ４００を第１および第２の位置Ｐ１，Ｐ２に選択的に配置させるように移動させるための機構である。この動作機構４２０は、イメージセンサチップ４００を搭載している基板４１０と、この基板４１０上に取り付けられたカバー４３０と、このカバー４３０のスライドガイドを行なうための一対のガイドロッド３４５とを備えている。基板４１０は、イメージセンサチップ４００の駆動に必要な電力供給や信号の入出力を行なわせるための配線パターンを有しており、図示されていない配線を介して外部機器と接続されている。この配線は、基板４１０の移動を妨げないように基板４１０と接続されている。カバー４３０は、イメージセンサチップ４００の周囲を覆う形態を有している。このカバー４３０には、光学フィルタ４３１が取り付けられている。この光学フィルタ４３１は、イメージセンサチップ４００に不要な波長の光が入射することを防止するとともに、イメージセンサチップ４００を塵埃から保護する役割も果たす。一対のガイドロッド３４５は、ケース３００の底部に設けられた切り欠き部３４０に配置され、それらの長手方向両端がケース３００の底部に支持され、かつケース３００の長手方向に延びている。図５によく表われているように、これら一対のガイドロッド３４５は、カバー４３０の両側面に形成された凹部４３５に嵌入している。この構造により、カバー４３０は、一対のガイドロッド３４５に支持され、かつそれらの長手方向にスライド可能であり、このカバー４３０のスライド動作に伴ってイメージセンサチップ４００は、切り欠き部３４０内において第１および第２の位置Ｐ１，Ｐ２間を往復移動可能となっている。
【００４２】
カバー４３０のスライド動作は、たとえば、このイメージセンサモジュールＡ１が組み込まれる装置または機器に設けられたスライドレバーと機械的に連動させることによって実現することができる。あるいは、このような構成に代えて、たとえば、カバー４３０または基板４１０にラックを設け、このラックに噛み合うピニオンをモータによって回転させる構成とすることもできる。さらに、カバー４３０または基板４１０に雌ネジ部を設け、この雌ネジ部に螺合するネジ軸をモータにより回転させる、いわゆるねじ送り機構によっても実現することができる。
【００４３】
次に、イメージセンサモジュールＡ１の作用について説明する。
【００４４】
まず、図３に示されるように、イメージセンサチップ４００を第１の位置Ｐ１に配置させたときには、被写体の像は、結像用レンズ１２０を利用してイメージセンサチップ４００上に結像する。この場合の撮影は、標準撮影モードである。
【００４５】
次いで、図４に示すように、動作機構４２０を動作させることにより、イメージセンサチップ４００を第２の位置Ｐ２に配置させたときには、被写体の像は、結像用レンズ２００を利用してイメージセンサチップ４００上に結像する。この場合の撮影は、望遠撮影モードである。開口部２３３は、開口部１１３よりも直径が大きいため、画角の小さい望遠撮影モードの画像が、標準撮影モードの画像よりも大幅に暗い画質になるといったことは無い。遮光部材３３０は、結像用レンズ２４０を透過した光のうち、被写体の結像に不必要な光（外乱光）が、第２のミラー２２０を経由することなく、イメージセンサチップ４００に直接到達することを阻止する。したがって、望遠撮影モードでの撮影画像の質を高く維持することができる。遮光部材３３０の内面をノコギリ状の凹凸を有するようにしておくと、この遮光部材３３０の内面により光が乱反射し、イメージセンサチップ４００に向けて進行する外乱光の量がより少なくなる。
【００４６】
イメージセンサチップ４００を第１の位置Ｐ１に配置させている場合において、キャップ１１０を回転させることにより、結像用レンズ１２０をイメージセンサチップ４００から遠ざける方向に移動させると、近接撮影モードを実現することもできる。
【００４７】
このように、このイメージセンサモジュールＡ１によれば、簡単な操作および機構により、標準撮影モード、望遠撮影モード、および近接撮影モードの切り替えが実現される。結像用レンズ１２０，２４０は、いずれも複数の単レンズが相対移動不可能に組み合わされたものとされ、その構造は簡易であるために、それらのコストを廉価にすることができる。また、結像用レンズ１２０，２４０のそれぞれが大きく嵩張らないようにすることもできる。
【００４８】
第２の光学系２００においては、第１および第２のミラー２１０，２２０を利用して、光をケース３００の長手方向に進行させることによってその光路長を長くしているため、ケース３００の厚みが著しく増大するといったことはない。また、第２の光学系２００においては、第１および第２のミラー２１０，２２０によって光を２回反射させているために、イメージセンサチップ４００によって撮影される画像が、左右反転するといったこともない。このようなことから、本実施形態のイメージセンサモジュールＡ１は、ケース３００の厚みを小さくし、上記した３つの撮影モードを実現することができるのであり、携帯電話機等の小型機器に組み込むのに具合が良い。
【００４９】
また、このイメージセンサモジュールＡ１においては、第２の位置Ｐ２が、第２の光学系２００の入射光軸Ｘ2'よりも第１の位置Ｐ１寄りにあり、第１および第２の位置Ｐ１，Ｐ２どうしが接近している。したがって、イメージセンサチップ４００を第１および第２の位置Ｐ１，Ｐ２に移動させるための移動ストロークが短くなり、その分だけ、動作機構４２０の小型化が図れ、また動作精度を高くすることができる。さらに、標準撮影と望遠撮影との切り替え速度を速くすることも可能となる。
【００５０】
図６〜図１６は、本発明に係るイメージセンサモジュールの他の実施形態を示している。図６以降の図面においては、上記実施形態と同一または類似の要素については、上記実施形態と同一符号を付している。
【００５１】
図６に示すイメージセンサモジュールＡ２は、第２の光学系２００の結像用レンズ２４０が第１の実施形態とは相違した構成となっている。より具体的には、ケース３００の天壁部の長手方向他端部には、ネジ穴３５０が形成されており、このネジ穴３５０に螺合装着されたキャップ２５０に結像用レンズ２４０が保持されている。このため、結像用レンズ２４０は、第１のミラー２１０の上方に位置しており、この結像用レンズ２４０を透過した光が第１のミラー２１０に到達し、その後第２の位置Ｐ２に導かれるようになっている。キャップ２５０は、キャップ１１０と同様な構成を備えたものであり、その上壁部２５２に形成された開口部２５３の直径は、キャップ１１０の開口部１１３よりも大きくされている。キャップ２５０は、回転操作されることにより上下動を行なうため、このキャップ２５０の移動により結像用レンズ２４０の位置調整が可能である。
【００５２】
このイメージセンサモジュールＡ２においては、結像用レンズ２４０を第１のミラー２１０の上方に配置した分だけ、この結像用レンズ２４０から第２の位置Ｐ２に至るまでの光路長を長くするのに有利となる。また、キャップ２５０を回転させて結像用レンズ２４０の位置調整を行なうことにより、望遠撮影モードでのいわゆるピント合わせを適切に行なうことが可能である。
【００５３】
図７に示すイメージセンサモジュールＡ３においては、第２の光学系２００が透光性部材２６０を備えた構成とされている。この透光性部材２６０は、透明度の高いポリカーボネートまたはアクリル系樹脂製であり、一端面２６１が結像用レンズ２４０の下方に位置するとともに、他端面２６２が第２の位置Ｐ２の上方に位置するようにケース３００内に配置されている。両端面２６１，２６２は、本発明でいう第１および第２の光反射面の具体例に相当する。
【００５４】
このイメージセンサモジュールＡ３においては、被写体からの光が結像用レンズ２４０を透過すると、この光は透光性部材２６０内に進入し、端面２６１に入射する。すると、この光はこの端面２６１によって全反射され、端面２６２に向けて進行する。その後、上記光は端面２６２によっても全反射されて下向きに進行し、第２の位置Ｐ２に到達し、イメージセンサチップ４００によって受光される。このように、光を導くのに全反射を利用すれば、ミラーを用いる場合よりも光の反射率が高く、光のロスを少なくすることができる。したがって、明るく鮮明な撮影画像を得るのにより好適となる。また、本実施形態においては、１つの透光性部材２６０が第２の実施形態の第１および第２のミラー２１０，２２０と同様な役割を果たしており、ミラーを用いる場合と比較するとその部品点数は少なくなる。したがって、構造の簡素化および製造の容易化も図られる。
【００５５】
図８に示す実施形態のイメージセンサモジュールＡ４は、透光性部材２６０によって光が４回反射されるように構成されている。より具体的には、透光性部材２６０は、両端面２６１，２６２に加え、２つの傾斜面２６３，２６４をさらに有している。結像用レンズ２４０を透過した光は、端面２６１および傾斜面２６３，２６４によって順次反射されてから端面２６２に到達し、この端面２６２により第２の位置Ｐ２に向けて反射されるようになっている。
【００５６】
このような構成によれば、結像用レンズ２４０から第２の位置Ｐ２までの光路長を長くし、望遠撮影の倍率を高めるのにより好適となる。また、既述したとおり、透光性部材２６０を利用した全反射は、反射率が高いために、光の反射回数を増加させても、これにより撮影画像が暗くなることはない。さらに、１つの透光性部材２６０によって４回の光の反射を実現しており、４つのミラーを用いる場合と比較すると、やはりその部品点数は少ないものとなる。
【００５７】
図９に示すイメージセンサモジュールＡ５は、第１および第２のイメージセンサチップ４００Ａ，４００Ｂを備えている。これら第１および第２のイメージセンサチップ４００Ａ，４００Ｂは、ケース３００の底部に組み込まれた基板４１０上に並んで搭載されており、第１のイメージセンサチップ４００Ａは第１の位置Ｐ１に固定され、第２のイメージセンサチップ４００Ｂは第２の位置Ｐ２に固定されている。第１および第２のイメージセンサチップ４００Ａ，４００Ｂの上方には、ケース３００に支持された光学フィルタ４３１ａ，４３１ｂが位置している。
【００５８】
このような構成によれば、第１および第２のイメージセンサチップ４００Ａ，４００Ｂのオン・オフを切り替えることにより、撮影モードを選択することができる。第１のイメージセンサチップ４００Ａをオンとし、かつイメージセンサチップ４００Ｂをオフにすると、第１の光学系１００を利用した標準撮影モードの撮影画像が得られる。これとは反対に、第１のイメージセンサチップ４００Ａをオフとし、かつイメージセンサチップ４００Ｂをオンにすると、第２の光学系２００を利用した望遠撮影モードの撮影画像が得られる。撮影モードの切り替えは、電気的なオン・オフにより行なうため、その切り替えは迅速に行なうことができる。ただし、第１および第２のイメージセンサチップ４００Ａ，４００Ｂをともにオンとして、それらから２種類の画像信号を出力させておき、いずれか一方のみを選択的に利用するといった使用方法を用いてもかまわない。このイメージセンサモジュールＡ５においては、撮影モードを切り替えるための動的な機構は不要であるため、機械的な故障を起こす可能性が少なくなるという利点が得られる。図９においては、第２の光学系２００が図１〜図４に示したイメージセンサモジュールＡ１と同様な構成とされているが、図６〜図８に示したイメージセンサモジュールＡ２〜Ａ４と同様な構成にすることができることはいうまでもない。
【００５９】
図１０に示すイメージセンサモジュールＡ６は、第２の光学系２００の入射光軸Ｘ2'が第２の位置Ｐ２よりも第１の位置Ｐ１寄りに位置する構成とされている。より具体的には、開口部３２０や第１のミラー２１０は、第２のミラー２２０よりも第１の光学系１００寄りに設けられており、開口部３２０からケース３００内に進行した光は、第１のミラー２１０によって第１の光学系１００とは反対寄りの方向に進行し、その後第２のミラー２２０によって下向きに反射されることにより第２の位置Ｐ２に到達するようになっている。第１のイメージセンサチップ４００Ａは、基板４１０Ａに搭載されて第１の位置Ｐ１に配されているのに対し、第２のイメージセンサチップ４００Ｂは、基板４１０Ｂに搭載されて第２の位置Ｐ２に配されている。
【００６０】
このイメージセンサモジュールＡ６においては、第２の光学系２００の入射光軸Ｘ2'が第１の光学系１００の光軸Ｘ１に接近した構成となる。したがって、第１および第２の光学系１００，２００をそれぞれ利用して被写体の撮影を行なう場合の視差が小さくなる。第１および第２の位置Ｐ１，Ｐ２の間隔は、比較的大きくなるが、第１および第２のイメージセンサチップ４００Ａ，４００Ｂはそれら第１および第２の位置Ｐ１，Ｐ２に固定されているため、とくに不具合はない。本実施形態とは異なり、１つのイメージセンサチップを第１および第２の位置Ｐ１，Ｐ２間において往復動させるようにした場合には、その往復動距離が大きくなると、その動作のための動作機構が大掛かりとなり、またイメージセンサチップの移動に要する時間が長くなるといった虞れがある。これに対し、本実施形態においては、第１および第２のイメージセンサチップ４００Ａ，４００Ｂを固定させているために、そのような不具合はない。ただし、本発明においては、第１およひ第２の光学系１００，２００の構成を図１０に示したような構成とした上で、１つのイメージセンサチップを第１および第２の位置Ｐ１，Ｐ２間において往復動自在とした構成としてもかまわない。
【００６１】
図１１に示すイメージセンサモジュールＡ７は、平面視Ｌ字状のケース３００を有している。このケース３００の一端部には、結像用レンズ１２０を備えた第１の光学系１００が設けられており、それ以外の部分に第２の光学系２００が設けられている。第２の光学系２００は、開口部３２０および第１のミラー２１０がケース３００の他端部に設けられていることにより、結像用レンズ２４０を透過した光を受ける第２のミラー２２０および第２の位置Ｐ２が第１の光学系１００に接近した構成とされている。イメージセンサチップ４００は、同図の実線および仮想線に示すように、光軸Ｘ１上の第１の位置Ｐ１に存在する状態と、第２の位置Ｐ２に存在する状態とに切り替え可能に、基板４１０に搭載された状態のまま矢印Ｎａ方向に往復動自在である。
【００６２】
このイメージセンサモジュールＡ７は、第１および第２の光学系１００，２００が一直線状に並んだ構成を有しておらず、図１１の矢視Ｎｂにおいて、第１の光学系１００は、第２の光学系２００にオーバラップしている。このため、このイメージセンサモジュールＡ７の全体が一方向に長くなることを抑制可能である。
【００６３】
このように、本発明においては、イメージセンサモジュール全体が一方向に長くなることを抑制する手段として、第１および第２の光学系どうしをオーバラップさせて並列に設けた構成としてもかまわない。この場合、イメージセンサチップを第１および第２の位置間において往復動させる構成に代えて、２つのイメージセンサチップを第１および第２の位置に固定して設けた構成としてもよいことは勿論である。
【００６４】
図１２および図１３に示すイメージセンサモジュールＡ８は、第１および第２の光学系１００，２００に加え、第３の光学系５００をさらに備えた構成を有している。より具体的には、ケース３００は、平面視細長矩形状であり、その長手方向中間部に、結像用レンズ１２０を有する第１の光学系１００が設けられている。この第１の光学系１００の一側方には、結像用レンズ２４０や第１および第２のミラー２１０，２２０を備えた第２の光学系２００が設けられている。この第２の光学系２００は、第２の位置Ｐ２が入射光軸Ｘ2'よりも第１の光学系１００寄りとなるように構成されている。第３の光学系５００は、第１の光学系１００を挟んで第２の光学系２００とは反対の領域に設けられている。この第３の光学系５００の基本的な構成は、第２の光学系２００と共通しており、たとえばケース３００に設けられた開口部３５０から下向きに進行してきた光をケース３００の長手方向中央部寄りに反射する第１のミラー５１０、この第１のミラー５１０によって反射された光を集光するための結像用レンズ５３０、この結像用レンズ５３０を透過した光を下向きに反射する第２のミラー５２０を有している。この第３の光学系５００の光軸Ｘ３のうち、第２のミラー５２０の下方が、イメージセンサチップ４００を配置させるための第３の位置Ｐ３となっている。この第３の位置Ｐ３は、入射光軸Ｘ3'よりも第１の光学系１００寄りに位置している。
【００６５】
第１および第２のミラー５１０，５２０の間隔は、第２の光学系２００の第１および第２のミラー２１０，２２０の間隔よりも大きくされている。このことにより、第３の光学系５００は、結像用レンズ５３０から第３の位置Ｐ３までの光路長が、第１および第２の光学系１００，２００のそれよりも長くされている。したがって、この第３の光学系５００を利用した撮影モードは、第２の光学系２００を利用した場合よりもさらに高倍率の望遠撮影モードとなる。第３の光学系５００には、第２の光学系２００のレンズホルダ２３０や遮光部材３３０と同様な役割を果たすレンズホルダ５４０や遮光部材５５０も設けられている。レンズホルダ５４０の開口部５４３の直径は、第１および第２の光学系１００，２００の開口部１１３，２３３の直径よりも大きくされており、画角が狭くなることによる光量不足が生じないようにされている。イメージセンサチップ４００は、動作機構４２０の動作により、第１および第２の位置Ｐ１，Ｐ２に加え、第３の位置Ｐ３にも配置させることができるように移動可能である。
【００６６】
このイメージセンサモジュールＡ８においては、イメージセンサチップ４００を第１ないし第３の位置Ｐ１〜Ｐ３のいずれに配置させるかによって撮影モードを切り替えることができ、標準撮影モード、望遠撮影モード、およびそれよりも高倍率の望遠撮影モードのいずれかを適宜選択可能である。したがって、撮影モードの多様性がさらに高められることとなる。
【００６７】
このように、本発明においては、第１および第２の光学系に加え、これらとは別の光学系をさらに追加して設けた構成とすることができる。もちろん、この場合に、１つのイメージセンサチップを移動させるのではなく、複数のイメージセンサチップを複数の光学系の所定位置に固定して設けた構成としてもかまわない。
【００６８】
図１４に示すイメージセンサモジュールＡ９は、第３の光学系５００が、第１および第２の光学系１００，２００に対して並列に設けられた構成を有している。より具体的には、このイメージセンサモジュールＡ９においては、第１および第２の光学系１００，２００は、ケース３００の長手方向に並んで設けられた構成を有している。第３の光学系５００は、開口部３２０よりもケース３００のさらに一端寄りに形成された開口部３５０からケース３００内に進行した光を第３の位置Ｐ３に導くように構成されており、開口部３５０からケース３００内に進行した光は、第１のミラー５６０によってケース３００の短手方向に反射され、結像用レンズ５３０を透過した後に、中間ミラー５７０によってケース３００の長手方向他端部に向けて反射されるようになっている。そして、この光は、その後中間ミラー５８０によってケース３００の短手方向に反射されることにより第２のミラー５９０に向けて進行し、この第２のミラー５９０によって下向きに反射されることにより第３の位置Ｐ３に導かれるようになっている。第１ないし第３の位置Ｐ１〜Ｐ３の位置関係は、図１２および図１３に示したイメージセンサモジュールＡ８と同様であり、それらの位置Ｐ１〜Ｐ３のいずれの位置に対してもイメージセンサチップ４００を移動させて配置させることが可能である。
【００６９】
このイメージセンサモジュールＡ９においては、結像用レンズ５３０から第３の位置Ｐ３までの光路長を、結像用レンズ２４０から第２の位置Ｐ２までの光路長よりも長くすることができる。したがって、図１２および図１３に示したイメージセンサモジュールＡ８と同様に、第３の光学系５００を第２の光学系２００よりも高倍率の望遠撮影用とすることができる。第３の光学系５００の中間ミラー５７０，５８０間の光路は、第１および第２の光学系１００，２００の光路と並列となっており、ケース３００の長手方向においてこれらはオーバラップしている。したがって、ケース３００の長手方向の全長が長くなることを好適に抑制可能である。
【００７０】
図１５に示すイメージセンサモジュールＡ１０は、第１ないし第３の光学系１００，２００，５００を並列に設けた構成を有している。より具体的には、第１および第２の光学系１００，２００は、図１１に示したイメージセンサモジュールＡ７と同様な構成となっている。第３の光学系５００は、第１および第２のミラー５１０，５２０間の光路が、第２の光学系２００の第１および第２のミラー２１０，２２０間の光路と平行となるように形成された構成を有している。第２のミラー５２０は、第２のミラー２２０に隣接しており、第１ないし第３の位置Ｐ１〜Ｐ３は、直線状に並んだ配置となっている。
【００７１】
このような構成によっても、第３の光学系５００の結像用レンズ５３０から第３の位置Ｐ３までの光路長を、第２の光学系２００の結像用レンズ２４０から第２の位置Ｐ２までの光路長よりも長くし、第３の光学系５００を第２の光学系２００よりも高倍率の望遠撮影用とすることができる。また、第３の光学系５００の光路が、第１および第２の光学系１００，２００の光路と並列とされている分だけ、イメージセンサモジュールＡ１０の全体が一方向に長くなることを抑制可能である。
【００７２】
図１６（ａ），（ｂ）に示す２つのイメージセンサモジュールＡ１１，Ａ１２は、図９に示したイメージセンサモジュールＡ５、または図１０に示したイメージセンサモジュールＡ６を、第１の光学系１００の部分と第２の光学系２００の部分とを分離させるように２分割した構成に相当している。イメージセンサモジュールＡ１１は、標準撮影モード用の光学系１００を備えている。このイメージセンサモジュールＡ１１のケース３００Ａは、結像用レンズ１２０を収容保持したキャップ１１０の装着、およびイメージセンサチップ４００Ａを搭載した基板４１０Ａの取り付けに必要かつ十分な小サイズに形成されている。イメージセンサモジュールＡ１２は、望遠撮影モード用の光学系２００を備えており、そのケース３００Ｂは、光学系２００を構成する所定の部品を取り付けるのに必要かつ十分なサイズに形成されている。
【００７３】
これら２つのイメージセンサモジュールＡ１１，Ａ１２を組み合わせて用いれば、図９および図１０に示したイメージセンサモジュールＡ５，Ａ６と同様な機能が得られる。また、２つのイメージセンサモジュールＡ１１，Ａ１２は、互いに離間するように配置して使用することもできるために、これらをたとえば携帯電話機に組み込んで使用する場合には、スペース上の制約を受け難くし、大きな自由度で２つのイメージセンサモジュールＡ１１，Ａ１２を取り付けることができ、便利となる。
【００７４】
また、イメージセンサモジュールＡ１２は、上述した実施形態の各イメージセンサモジュールの第２の光学系２００と同様に、結像用レンズ２４０からイメージセンサチップ４００Ｂに至るまでの光路長を長くする手段として、第１および第２のミラー２１０，２２０を用いることによって、ケース３００Ｂの長手方向に延びる光路を形成しているために、ケース３００Ｂの厚みが大きくなることを適切に抑制することができる。これは、たとえば薄型の携帯電話機の小さな空間スペースに組み込むような場合に有利となる。もちろん、このような効果は、第１および第２のミラー２１０，２２０に代えて、たとえば図７に示した透光性部材２６０を用いた場合にも得られ、本発明においては、透光性部材２６０を用いた構成とすることもできる。光学系２００の光路の最終部分においては、第２のミラー２２０によって光が下向きに反射されており、イメージセンサチップ４００Ｂは、その受光面が上向きとなる姿勢に設けられているために、イメージセンサチップ４００Ｂとして、その受光面が大きなものを用いた場合であっても、これによってイメージセンサモジュールＡ１２の全体の厚みが大きくならない。したがって、イメージセンサモジュールＡ１２の厚みを小さくしつつ、イメージセンサチップ４００Ｂとしては、受光用の画素数が多く、かつ受光面が大きな面積のものを使用することが可能となり、画質の高い撮影用のものとして構成するのにも好適となる。
【００７５】
本発明は、上述した実施形態に限定されない。本発明に係るイメージセンサモジュールの各部の具体的な構成は、種々に設計変更自在である。
【００７６】
イメージセンサチップを移動自在とするための手段としては、種々の手段を採用することができる。結像用レンズを光軸方向に位置調整させるための手段としては、手動操作に代えて、圧電バイモルフ形またはモノモルフ形のアクチュエータなどの圧電アクチュエータ、あるいはその他の種類のアクチュエータを用いてもかまわない。ただし、結像用レンズは、位置調整自在に設けることなく、一定の位置に固定させてもかまわない。また、結像用レンズは、単レンズか組み合わせレンズかの区別を問わず、また組み合わせレンズを構成する単レンズの具体的な枚数も限定されない。
【００７７】
第１および第２の光学系は、標準撮影用と望遠撮影用とに構成されていなくてもかまわず、たとえば画角および倍率が相違する２種類の標準撮影用、２種類の望遠撮影用、あるいは２種類の広角撮影用として構成することもできる。それ以外としても、たとえば広角撮影用と標準撮影用との組み合わせとして構成することもできる。
【図面の簡単な説明】
【００７８】
【図１】本発明に係るイメージセンサモジュールの一実施形態を示す平面図である。
【図２】図１に示したイメージセンサモジュールの正面図である。
【図３】図１のIII −III 拡大断面図である。
【図４】図１に示したイメージセンサモジュールの作用を示す断面図である。
【図５】図１に示したイメージセンサモジュールに組み込まれている動作機構の概略構造を示す斜視図である。
【図６】本発明に係るイメージセンサモジュールの他の実施形態を示す断面図である。
【図７】本発明に係るイメージセンサモジュールの他の実施形態を示す断面図である。
【図８】本発明に係るイメージセンサモジュールの他の実施形態を示す断面図である。
【図９】本発明に係るイメージセンサモジュールの他の実施形態を示す断面図である。
【図１０】本発明に係るイメージセンサモジュールの他の実施形態を示す断面図である。
【図１１】本発明に係るイメージセンサモジュールの他の実施形態を示す概略斜視図である。
【図１２】本発明に係るイメージセンサモジュールの他の実施形態を示す断面図である。
【図１３】図１２に示すイメージセンサモジュールの概略斜視図である。
【図１４】本発明に係るイメージセンサモジュールの他の実施形態を示す概略斜視図である。
【図１５】本発明に係るイメージセンサモジュールの他の実施形態を示す概略斜視図である。
【図１６】（ａ），（ｂ）は、本発明に係るイメージセンサチップの他の実施形態を示す断面図である。
【符号の説明】
【００７９】
Ａ１〜Ａ１２                イメージセンサモジュール
１００                      第１の光学系
１２０                      結像用レンズ
２００                      第２の光学系
２１０                      第１のミラー
２２０                      第２のミラー
２４０                      結像用レンズ
３００                      ケース
４００，４００Ａ，４００Ｂ  イメージセンサチップ
４１０                      基板
４２０                      動作機構
４３１                      光学フィルタ
５００                      第３の光学系
Ｐ１                        第１の位置
Ｐ２                        第２の位置
【図１】
2004260787.tif 000003
【図２】
2004260787.tif 000004
【図３】
2004260787.tif 000005
【図４】
2004260787.tif 000006
【図５】
2004260787.tif 000007
【図６】
2004260787.tif 000008
【図７】
2004260787.tif 000009
【図８】
2004260787.tif 000010
【図９】
2004260787.tif 000011
【図１０】
2004260787.tif 000012
【図１１】
2004260787.tif 000013
【図１２】
2004260787.tif 000014
【図１３】
2004260787.tif 000015
【図１４】
2004260787.tif 000016
【図１５】
2004260787.tif 000017
【図１６】
2004260787.tif 000018